(57)【要約】【課題】転写終了時に、塗膜転写具とともに被転写体を持ち上げることがなく、転写を円滑に終了できるようにした塗膜転写具、および該塗膜転写具用カートリッジを提供する。【解決手段】ケース４内に、テープ基材３上に塗膜を塗布した転写テープ２が巻回された供給リールを設けるとともに、この供給リールから繰り出される転写テープ２を、ケースの前端開口に設けた転写ヘッド５に向けて供給して、転写テープ２の塗膜を被転写面に転写可能にし、かつ転写後の転写ヘッド５を経て反転させたテープ基材３を、ケース４内に巻き取るようにした塗膜転写具１において、ケース４の前端開口４ａで、転写ヘッド５に供給される転写テープ２より下部の位置に、セパレートヘッド６を設け、転写ヘッド５が被転写面から離れた後も、このセパレートヘッド６が被転写面を押圧しつづけるようにしたことを特徴とする塗膜転写具、および該塗膜転写具用カートリッジである。【選択図】図１−１
2011025468.tif 000002
【特許請求の範囲】
【請求項１】
ケース内に、テープ基材上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたテープ基材を、ケース内の巻き取りリールに巻き取るようにした塗膜転写具において、
ケースの前端開口で、転写ヘッドに供給される転写テープより下部の位置に、被転写面に当接し、且つ被転写面上を滑走しうるセパレートヘッドを、ケースから転写ヘッド方向に突出させて設け、該セパレートヘッドの先端部が、転写ヘッドが被転写面から浮上して離れた後も、被転写面を押圧しうるようにしたことを特徴とする塗膜転写具。
【請求項２】
前記セパレートヘッドが、弾性変形可能な樹脂材料で形成されている請求項１記載の塗膜転写具。
【請求項３】
前記セパレートヘッドが、その上面部をケースの前端開口に取り付けた付勢部材により支持することで上下に可動可能な状態で設けられている請求項１または２記載の塗膜転写具。
【請求項４】
前記セパレートヘッドの先端部が、被転写面方向に傾斜するテーパー部が形成されている請求項１〜３いずれか記載の塗膜転写具。
【請求項５】
前記セパレートヘッドの先端部が、被転写面上を回動する回転体である請求項１〜３いずれか記載の塗膜転写具。
【請求項６】
前記セパレートヘッドに錘の機能を付与させた請求項１〜５いずれか記載の塗膜転写具。
【請求項７】
ケース内に、テープ基材上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたテープ基材を、ケース内の巻き取りリールに巻き取るようにした塗膜転写具において、
ケースの前端開口で、転写ヘッドに供給される転写テープより下部の位置に、被転写面に当接し、且つ被転写面上を滑走しうるセパレートヘッドであって、転写ヘッドがその中に入り込んで被転写面と当接できる大きさの開口を有し、且つ該開口を挟んで離間した左右外縁の底面に突起物が設けられたセパレートヘッドを、ケースから転写ヘッド方向に突出させて設け、該セパレートヘッドの突起物が、転写ヘッドが被転写面から浮上して離れた後も、被転写面を押圧しうるようにしたことを特徴とする塗膜転写具。
【請求項８】
前記突起物がセパレートヘッドと一体成形により設けられている請求項７記載の塗膜転写具。
【請求項９】
前記突起物がセパレートヘッドに取り付けた回転体で構成されている請求項７記載の塗膜転写具。
【請求項１０】
前記開口の外縁に保護カバーを設けている請求項７〜９いずれか記載の塗膜転写具。
【請求項１１】
前記突起物が、セパレートヘッドの開口を形成する外縁部で、転写ヘッドが被転写面と当接した際に、転写ヘッドの当接線を左右の開口外縁まで延長した直線よりも前方に設けられている請求項７〜１０いずれか記載の塗膜転写具。
【請求項１２】
前記セパレートヘッドに錘の機能を付与させた請求項７〜１１いずれか記載の塗膜転写具。
【請求項１３】
少なくとも供給リールと巻き取りリールと転写ヘッドとを備え、前記供給リールの回転を巻き取りリールに伝達するためのリール駆動機構を内部に収容するケース内に装着される塗膜転写具用カートリッジにおいて、
該カートリッジの前端で、転写ヘッドに供給される転写テープより下部の位置に、被転写面に当接し、且つ被転写面上を滑走しうるセパレートヘッドが、転写ヘッド方向に突出させて設けられていることを特徴とする塗膜転写具用カートリッジ。
【請求項１４】
前記セパレートヘッドが、弾性変形可能な樹脂材料で形成されている請求項１３記載の塗膜転写具用カートリッジ。
【請求項１５】
前記セパレートヘッドが、その上面部をケースの前端に取り付けた付勢部材により支持することで上下に可動可能な状態で設けられている請求項１３または１４記載の塗膜転写具用カートリッジ。
【請求項１６】
前記セパレートヘッドの先端部が、被転写面方向に傾斜するテーパー部が形成されている請求項１３〜１５いずれか記載の塗膜転写具用カートリッジ。
【請求項１７】
前記セパレートヘッドの先端部が、被転写面上を回動する回転体である請求項１３〜１５いずれか記載の塗膜転写具用カートリッジ。
【請求項１８】
前記セパレートヘッドが、転写ヘッドがその中に入り込んで被転写面と当接できる大きさの開口を有し、且つ該開口を挟んで離間した左右外縁の底面に突起物が設けられている請求項１３〜１５いずれか記載の塗膜転写具用カートリッジ。
【請求項１９】
前記突起物がセパレートヘッドと一体成形により設けられている請求項１８記載の塗膜転写具用カートリッジ。
【請求項２０】
前記突起物がセパレートヘッドに取り付けた回転体で構成されている請求項１８記載の塗膜転写具用カートリッジ。
【請求項２１】
前記開口の外縁に保護カバーを設けている請求項１８〜２０いずれか記載の塗膜転写具用カートリッジ。
【発明の詳細な説明】
【技術分野】
【０００１】
本発明は、修正塗膜や糊塗膜などを、被転写面に転写するための塗膜転写具および該塗膜転写具用カートリッジに関する。
【背景技術】
【０００２】
塗膜転写具としては、ケース内に、テープ基材上に塗膜を塗布した転写テープが巻回された供給リールを設けるとともに、この供給リールから繰り出される転写テープを、ケースの前端開口に設けた転写ヘッドに向けて供給して、被転写面上に塗膜を転写した後に、テープ基材をケース内の巻き取りリールに巻き取るようにした構造のものが知られている（例えば、特許文献１、２参照）。
【０００３】
一般に、このような塗膜転写具１０１は、図１１に斜視図および図１２に右側面図を示すように、ロール状の転写テープ１０２を装着した供給リール１０３と、該供給リール１０３より繰り出される転写テープの塗膜１０４をテープ基材１０５から剥離しながら紙面などの被転写面１０９へ転写させる転写ヘッド１０６ａ（１０６は転写ヘッドを軸支する軸受用のヘッド部材を示す）と、転写後のテープ基材１０５を巻き取る巻き取りリール１０７とを、ケース１０８内に装備して構成されている。
【０００４】
また、資源の有効利用のため、ケースの内部に供給リールの回転を巻き取りリールに伝達するための歯車式もしくはベルト式リール駆動機構を配設しておき、前記ケースに、供給リール、巻取りリールおよび転写ヘッドを備え、該供給リールに転写テープを搭載した転写カートリッジを組み合せるようにすることで、転写テープを交換可能にした塗膜転写具も知られている（例えば、特許文献３参照）。
【０００５】
このような塗膜転写具では、ケース本体を握って転写作業を行う場合、被転写面に転写ヘッドを押し付け、押圧しながらケース本体を移動させる（すなわち、後退させる）ことでテープを繰り出して塗膜を被転写面に被着させ、所望の位置でケース本体を持ち上げて塗膜を切断することにより、転写を終了する。
【０００６】
しかし、こうした塗膜転写具では、塗膜がテープ基材上に連続状に塗布されているため、転写される塗膜が粘着力のある糊塗膜の場合は、転写終了時に、被転写面を押さえると同時にケース本体を被転写面に押し付けるようにしないと、塗膜が糸を引くように伸びてしまい、円滑に切断されないことがある。そのため、ケース本体を持ち上げた際に、ケースとともに被転写面が持ち上がってしまい、操作性が非常に悪くなるという問題がある。糊切れ性が悪い場合は使い難くなるだけでなく、切断された糊が切断端にまとまって被着し、貼り付け面が凹凸になってしまう、あるいは、転写具にからまり転写具の基材テープの巻き取り不良を生じる、といった問題も引き起こす。また、粘着力の強い塗膜などでは、被転写面を引き剥がす際に誤って他の箇所に塗膜が転写されることがあり、これを防止する必要もある。
【０００７】
このような問題を避けるため、基材テープに塗布する粘着剤層をドット状あるいはブロック状に配置したり、粘着剤層の中にフィラーを混入させることも提案されているが、こうした方法では、連続状に塗工した場合に比べて接着力が低下するという欠点がある。
【０００８】
塗膜転写具が抱える各種の問題点を改良すべく、転写ヘッド周辺を改良することも試みられている（例えば、特許文献４、５参照）。特許文献４には、使用前後のキャップの脱着の手間をなくし、なお且つ粘着剤が塗膜転写具周辺にあるものに付着したりするのを防止するために、転写ヘッドを覆うキャップを取り外さずに塗膜の転写を行うことができる塗膜転写具が開示されている。この場合、ケース本体端部に弾性変形可能なキャップを、取付片を介在させて取付けることで、転写時に押圧されたときには取り付け片が弾性変形して、転写ヘッドが被転写面に接触するため、転写時に被転写面を押さえることで転写自体は可能であるが、このような構成では、転写終了の際ケース本体を持ち上げる時に十分に被転写面を押さえることができない。
【０００９】
特許文献５には、転写部を被転写面に当接させて操作する際に、転写角度を安定させるため、転写部以外の箇所を被転写面に当接させる転写具が開示されている。この転写具は、ケースの一端部に形成された開口に転写ローラー（転写部）を有し、この開口と転写ローラーを覆うカバーを備え、このカバーの端部に形成された軸を、開口の近傍でケースの外側に設けた枢支部で枢支し、転写時にカバーの一部がケース本体に当接し、カバーの別の一部が被転写体に当接する構成となっている。したがって、転写角度は安定するが、転写時にカバーを枢支部で反転させるだけでは、カバーの先端が被転写面に引掛かって抵抗になってしまい、転写具を円滑に走行させることが難しくなる。また、当該転写具では、カバーを一旦枢支部から外し、方向を変えてカバーの平らな部分が被転写面に当接させるようにすることもできるが、カバーを取り付け直す必要があるため面倒であり、また、転写ローラーとカバーの平らな部分の位置が離れ過ぎているため、カバーを被転写面に当接させて転写ローラーを浮上させた際に、塗膜が糸を引くように伸びてしまう。
【先行技術文献】
【特許文献】
【００１０】
【特許文献１】特開２０００−０２６０１４号公報
【特許文献２】特開２０００−０３７９９１号公報
【特許文献３】特開２００５−０５９５１４号公報
【特許文献４】特開２０００−２４７０９５号公報
【特許文献５】特開２００１−２６１２１８号公報（図３（ａ）、図３（ｂ））
【発明の開示】
【発明が解決しようとする課題】
【００１１】
本発明は、前記の現状に鑑み、転写時には転写具を円滑に走行させることができ、転写終了時には塗膜を効果的に切断でき被転写体が転写具とともに持ち上がったり、塗膜が不均一に転写されたりすることがない、塗膜転写具および該塗膜転写具用カートリッジを提供することを目的とする。
【課題を解決するための手段】
【００１２】
上記目的を達成するため、本発明は、下記の構成の塗膜転写具を提供する。
【００１３】
（１）ケース内に、テープ基材上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたテープ基材を、ケース内の巻き取りリールに巻き取るようにした塗膜転写具において、
ケースの前端開口で、転写ヘッドに供給される転写テープより下部の位置に、被転写面に当接し、且つ被転写面上を滑走しうるセパレートヘッドを、ケースから転写ヘッド方向に突出させて設け、該セパレートヘッドの先端部が、転写ヘッドが被転写面から浮上して離れた後も、被転写面を押圧しうるようにしたことを特徴とする塗膜転写具。
（２）前記セパレートヘッドが、弾性変形可能な樹脂材料で形成されている上記（１）記載の塗膜転写具。
（３）前記セパレートヘッドが、その上面部をケースの前端開口に取り付けた付勢部材により支持することで上下に可動可能な状態で設けられている上記（１）または（２）記載の塗膜転写具。
（４）前記セパレートヘッドの先端部が、被転写面方向に傾斜するテーパー部が形成されている上記（１）〜（３）いずれか記載の塗膜転写具。
（５）前記セパレートヘッドの先端部が、被転写面上を回動する回転体である上記（１）〜（３）いずれか記載の塗膜転写具。
（６）前記セパレートヘッドに錘の機能を付与させた上記（１）〜（５）いずれか記載の塗膜転写具。
【００１４】
（７）ケース内に、テープ基材上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたテープ基材を、ケース内の巻き取りリールに巻き取るようにした塗膜転写具において、
ケースの前端開口で、転写ヘッドに供給される転写テープより下部の位置に、被転写面に当接し、且つ被転写面上を滑走しうるセパレートヘッドであって、転写ヘッドがその中に入り込んで被転写面と当接できる大きさの開口を有し、且つ該開口を挟んで離間した左右外縁の底面に突起物が設けられたセパレートヘッドを、ケースから転写ヘッド方向に突出させて設け、該セパレートヘッドの突起物が、転写ヘッドが被転写面から浮上して離れた後も、被転写面を押圧しうるようにしたことを特徴とする塗膜転写具。
（８）前記突起物がセパレートヘッドと一体成形により設けられている上記（７）記載の塗膜転写具。
（９）前記突起物がセパレートヘッドに取り付けた回転体で構成されている上記（７）記載の塗膜転写具。
（１０）前記開口の外縁に保護カバーを設けている上記（７）〜（９）いずれか記載の塗膜転写具。
（１１）前記突起物が、セパレートヘッドの開口を形成する外縁部で、転写ヘッドが被転写面と当接した際に、転写ヘッドの当接線を左右の開口外縁まで延長した直線よりも前方に設けられている上記（７）〜（１０）いずれか記載の塗膜転写具。
（１２）前記セパレートヘッドに錘の機能を付与させた上記（７）〜（１１）いずれか記載の塗膜転写具。
【００１５】
（１３）少なくとも供給リールと巻き取りリールと転写ヘッドとを備え、前記供給リールの回転を巻き取りリールに伝達するためのリール駆動機構を内部に収容するケース内に装着される塗膜転写具用カートリッジにおいて、
該カートリッジの前端で、転写ヘッドに供給される転写テープより下部の位置に、被転写面に当接し、且つ被転写面上を滑走しうるセパレートヘッドが、転写ヘッド方向に突出させて設けられていることを特徴とする塗膜転写具用カートリッジ。
（１４）前記セパレートヘッドが、弾性変形可能な樹脂材料で形成されている上記（１３）記載の塗膜転写具用カートリッジ。
（１５）前記セパレートヘッドが、その上面部をケースの前端に取り付けた付勢部材により支持することで上下に可動可能な状態で設けられている上記（１３）または（１４）記載の塗膜転写具用カートリッジ。
（１６）前記セパレートヘッドの先端部が、被転写面方向に傾斜するテーパー部が形成されている上記（１３）〜（１５）いずれか記載の塗膜転写具用カートリッジ。
（１７）前記セパレートヘッドの先端部が、被転写面上を回動する回転体である上記（１３）〜（１５）いずれか記載の塗膜転写具用カートリッジ。
（１８）前記セパレートヘッドが、転写ヘッドがその中に入り込んで被転写面と当接できる大きさの開口を有し、且つ該開口を挟んで離間した左右外縁の底面に突起物が設けられている上記（１３）〜（１５）いずれか記載の塗膜転写具用カートリッジ。
（１９）前記突起物がセパレートヘッドと一体成形により設けられている上記（１８）記載の塗膜転写具用カートリッジ。
（２０）前記突起物がセパレートヘッドに取り付けた回転体で構成されている上記（１８）記載の塗膜転写具用カートリッジ。
（２１）前記開口の外縁に保護カバーを設けている上記（１８）〜（２０）いずれか記載の塗膜転写具用カートリッジ。
【発明の効果】
【００１６】
本発明によると、次のような効果が奏せられる。
請求項１記載の発明によると、ケースの前端開口で、転写ヘッドのケース開口側の構造体に隣接し、且つ転写ヘッドに供給される転写テープより下部の位置に、セパレートヘッドを配置し、転写ヘッドが被転写面から離れた後も、このセパレートヘッドの先端部が被転写面を押圧しつづけるようにしてあるため、転写終了時に被転写体を持ち上げることなく転写を終了することができる。これにより、被転写体が持ち上がることによって粘着剤が不必要な部分に付着して汚したりするのを防止することができる。
【００１７】
請求項２記載の発明によると、セパレートヘッドを弾性体で成形することによって、転写終了時に被転写面を押圧しやすくなる。
【００１８】
請求項３記載の発明によると、セパレートヘッドがバネなどの付勢部材により支持されているので、転写終了時に被転写面を確実に押圧できるとともに、その力加減が容易となる。
【００１９】
請求項４記載の発明によると、セパレートヘッド先端部がテーパー状であることによって、被転写面を確実に押圧できる。
【００２０】
請求項５記載の発明によると、セパレートヘッド先端部が被転写面を回動する回転体であることによって、被転写面を押圧する効果に加えて、転写時に被転写面を走行しやすくなる効果を奏する。さらに、請求項６記載の発明によると、セパレートヘッドが転写時にそれ自体の重みで垂れ下がることにより、被転写面を弾性体や付勢部材を使用せずとも、押圧可能となる。
【００２１】
請求項７記載の発明によると、転写ヘッドはセパレートヘッドの開口内で被転写面と当接し、セパレートヘッドの開口外縁の底面に設けた突起物が被転写体を押圧する構造になっており、転写ヘッドが被転写面から離れた後も、このセパレートヘッドの先端の突起物が被転写面を押圧しつづけるようにしてあるため、転写時には被転写面を均一に押圧することができるとともに、転写終了時には被転写体を持ち上げることなく転写を終了することができる。また、セパレートヘッドが板状のものより転写時に安定して走行ができ、転写性の向上という効果も生まれている。これにより、被転写体が持ち上がって粘着剤が不必要な部分に付着して汚したりするのを防止することができる。
【００２２】
請求項８および請求項９記載の発明によると、前項と同様の効果を奏する。
【００２３】
請求項１０記載の発明によると、セパレートヘッド先端部が、未使用の転写テープの塗膜を保護する保護カバーにもなっていることによって、前項の効果に加えて、保護カバーの紛失のおそれがなく、製作コスト上も有利である。請求項１１記載の発明によると、請求項７記載の発明の効果がより向上する。さらに、請求項１２記載の発明によると、セパレートヘッドが転写時にそれ自体の重みで垂れ下がることにより、被転写面を弾性体や付勢部材を使用せずとも、押圧可能となる。
【００２４】
請求項１３記載の発明によると、該カートリッジにセパレートヘッドが設けられているので、カートリッジを交換するだけで転写を継続でき省資源化が図れるとともに、該カートリッジをケース内に装着して塗膜転写具を構成したときには、上記塗膜転写具が奏する請求項１記載の発明の効果と同様の効果を奏する。さらに、請求項１４〜２１記載の発明によると、各々相当する上記塗膜転写具が奏する効果と同様の効果を奏する。
【図面の簡単な説明】
【００２５】
【図１−１】本発明の実施形態１におけるセパレートヘッドを備えた塗膜転写具の非転写時の（ａ）斜視図と（ｂ）要部拡大図である。
【図１−２】同上の転写時の状態を概略的に示す（ａ）正面図と（ｂ）右側面図、ならびに転写終了時の状態を概略的に示す（ｃ）正面図と（ｄ）右側面図である。
【図１−３】同上の保護カバーを備えた塗膜転写具の非転写時の要部拡大斜視図であり、（ａ）は装着前、（ｂ）は装着後である。
【図１−４】同上の保護カバーを備えた塗膜転写具の（ａ）転写時、（ｂ）転写終了時の状態を、概略的に示す右側面図である。
【図２−１】本発明の実施形態２におけるセパレートヘッドを備えた塗膜転写具の非転写時の（ａ）斜視図と（ｂ）要部拡大図である。
【図２−２】同上の転写時の状態を概略的に示す（ａ）正面図と（ｂ）右側面図、ならびに転写終了時の状態を概略的に示す（ｃ）正面図と（ｄ）右側面図である。
【図３−１】本発明の実施形態３におけるセパレートヘッドを備えた塗膜転写具の非転写時の（ａ）斜視図と（ｂ）要部拡大図である。
【図３−２】同上の転写時の状態を概略的に示す（ａ）正面図と（ｂ）右側面図、ならびに転写終了時の状態を概略的に示す（ｃ）正面図と（ｄ）右側面図である。
【図４−１】本発明の実施形態４におけるセパレートヘッドを備えた塗膜転写具の非転写時の（ａ）斜視図と（ｂ）要部拡大図である。
【図４−２】同上の転写時の状態を概略的に示す（ａ）正面図と（ｂ）右側面図、ならびに転写終了時の状態を概略的に示す（ｃ）正面図と（ｄ）右側面図である。
【図５−１】本発明の実施形態５におけるセパレートヘッドを備えた塗膜転写具の非転写時の（ａ）斜視図と（ｂ）要部拡大図である。
【図５−２】同上の転写時の状態を概略的に示す（ａ）正面図と（ｂ）右側面図、ならびに転写終了時の状態を概略的に示す（ｃ）正面図と（ｄ）右側面図である。
【図６−１】本発明の実施形態６におけるセパレートヘッドを備えた塗膜転写具の非転写時の（ａ）斜視図と（ｂ）要部拡大図である。
【図６−２】同上の転写時の状態を概略的に示す（ａ）正面図と（ｂ）右側面図、ならびに転写終了時の状態を概略的に示す（ｃ）正面図と（ｄ）右側面図である。
【図７−１】本発明の実施形態７におけるセパレートヘッドを備えた塗膜転写具の非転写時の（ａ）斜視図と（ｂ）要部拡大図である。
【図７−２】同上の転写時の状態を概略的に示す（ａ）正面図と（ｂ）右側面図、ならびに転写終了時の状態を概略的に示す（ｃ）正面図と（ｄ）右側面図である。
【図８−１】本発明の実施形態８におけるセパレートヘッドを備えた塗膜転写具の非転写時の（ａ）斜視図と（ｂ）要部拡大図である。
【図８−２】同上の転写時の状態を概略的に示す（ａ）正面図と（ｂ）右側面図、ならびに転写終了時の状態を概略的に示す（ｃ）正面図と（ｄ）右側面図である。
【図９】一般的な塗膜転写具の一例の概要を示す分解斜視図である。
【図１０】一般的な塗膜転写具の他の一例の概要を示す分解斜視図である。
【図１１】塗膜転写具の他の一例の概要を示す斜視図である。
【図１２】同じく、右側面図である。
【発明を実施するための最良の形態】
【００２６】
以下、本発明の実施形態を、添付図面を参照して説明する。
本発明の塗膜転写具は、図１１、図１２などの従来例に示す塗膜転写具に、セパレートヘッドを設けたものである。
すなわち、塗膜転写具１０１は、ケース１０８内に、テープ基材１０５上に塗膜１０４を塗布した転写テープ１０２が巻回された供給リール１０３を設けるとともに、この供給リール１０３から繰り出される転写テープ１０２を、ケース１０８の前端開口に設けた転写ヘッド１０６に向けて供給して、転写テープ１０２の塗膜を被転写面１０９に転写可能にし、かつ転写後に転写ヘッド１０６を経て反転させたテープ基材１０５を、ケース内の巻き取りリール１０７に巻き取るようにした塗膜転写具である。
【００２７】
本発明では、このようなテープ巻き取り機構を有する塗膜転写具であれば、ケースの形状、供給リールおよび巻き取りリールの位置および形状は特に限定されるものではなく、巻き取りリールと供給リールの配置が図１１と逆の配置になっているものでもよい。また、供給リールの回転を巻き取りリールに伝達するための駆動機構も特に限定されない。例えば、供給リール用歯車と巻き取りリール用歯車が直接噛合して供給リールの回転を伝達する転写具、あるいは、供給リール用歯車と巻き取りリール用歯車が間接に噛合して供給リールの回転を伝達する転写具、あるいは、供給リールと巻き取りリール間にベルトを掛け渡し、両者が連動して回転するようにしたベルト式駆動機構を有する転写具などであってよい。
【００２８】
なお、以下の説明において、図１１の矢印に示すように、左から右に至る方向を「走行方向」とする。
【００２９】
（実施形態１）
図１−１は、本発明の実施形態１におけるセパレートヘッドを備えた塗膜転写具の非転写時の斜視図と要部拡大図であり、図１−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。図１−３は、さらに保護カバーを備えた塗膜転写具の要部拡大斜視図で、（ａ）は装着前、（ｂ）は装着後を示す図である。
【００３０】
図１−１の塗膜転写具１において、転写テープ２は、テープ基材３上に塗膜を塗布した状態で供給リールに巻回されて繰り出され、ケース４の前端開口４ａから突出する転写ヘッド５によって被転写面上に塗膜を転写した後、転写ヘッド５の前端において反転し、この反転した塗膜剥離後のテープ基材３を、テープ巻き取り機構によって巻き取るようになっている。
【００３１】
なお、以下、本発明の塗膜転写具では、供給リールおよび巻き取りリールを図示していないが、これらについては図９、図１０あるいは図１１などに示す通りである。
【００３２】
本実施形態では、ケース４の前端開口４ａで、転写ヘッド５に供給される転写テープ２より下部の位置に、被転写面７に当接し、且つ被転写面７上を滑走しうる板状のセパレートヘッド６をケース４から転写ヘッド５の方向に突設させて設け、このセパレートヘッド先端部６ａが、転写ヘッド５が被転写面７から浮上して離れた後も、被転写面７を押圧しうるように構成してある。なお、転写ヘッド５は、左右のヘッド部材で軸支された回転体となっている。
【００３３】
セパレートヘッド６を、ケース前端開口４ａに配置するのは、転写ヘッド５とセパレートヘッドの先端部６ａが離れ過ぎていると、転写終了時に、転写ヘッド５を浮上状態とし、セパレートヘッド先端部６ａを被転写面７に当接させたときに、充分な押圧を被転写面７に付与することができなくなり、塗膜が糸を引いたような状態になりやすいからである。セパレートヘッド６は、転写テープ２を挟んで、転写ヘッド５と反対側に設置し、一端部をケース４に固定することにより、先端部６ａが被転写面７に当接し、且つ被転写面７上を滑走しうるように形成することができ、しかも、セパレートヘッド６の先端部６ａがテープの走行を妨げるおそれがない。転写ヘッド５の突端とセパレートヘッド先端部６ａとの距離は、転写具の大きさ、搭載する転写テープの種類に応じて設定すればよく、非転写時は２〜１０ｍｍ、転写時は、図１−２（ｂ）に示す状態で、１〜２ｍｍ程度の範囲になるように設定すれば、被転写面の押圧を確実に行うことができる。
【００３４】
転写時には、転写ヘッド５を被転写面７に当接させるよう位置決めした後、図１−２に示すように、塗膜転写具１を走行させながら、転写ヘッド５の突端で被転写面７に塗膜を転写し、反転した塗膜剥離後のテープ基材３を、巻き取りリールによって巻き取る。このとき、転写ヘッド５はその突端だけが被転写面７と接触状態にあり、セパレートヘッド６は、その先端部６ａが被転写面７と接触して滑走しうる状態にある。そして、転写終了時には、セパレートヘッド先端部６ａを被転写面７に当接させて押圧し、転写ヘッド５を持ち上げて浮上状態とする。これにより、基材テープ上の塗膜が切断されて転写が完了し、そして、その際セパレートヘッド先端部６ａが、被転写面７を押圧することによって、被転写面７が持ち上がることが防止される。
【００３５】
セパレートヘッド６の大きさは、塗膜転写具の走行を妨げることがなく、被転写面を押圧できる大きさであれば特に限定されない。
セパレートヘッド６は、全体が弾性変形可能な材料（いわゆる、弾性体）で形成されていると、材料が可撓性を有するため、転写終了時に被転写面７を均一に押圧しつづけることができるとともに、テープ走行時に安定した滑走が可能となり、被転写面を傷付けたりすることがない。弾性変形可能な材料は、汎用の材料であってよく、例えば、ポリプロピレン樹脂、ポリエチレン樹脂、ポリオキシメチレン樹脂、ポリカーボネート樹脂、ポリメチルメタアクリレート樹脂、ＡＢＳ樹脂、ポリアミド樹脂、ポリエステル樹脂、ポリ塩化ビニル樹脂、ポリスチレン樹脂、エラストマーなどの樹脂材料、および弾性金属材料が挙げられる。
セパレートヘッド６が、弾性体で形成されていない場合でも、セパレートヘッド自体の重みを利用して被転写面を押圧しつづけるようにすることもできる。この場合は、セパレートヘッド６を重量物で形成し、回転可能に軸支させることにより、転写時において錘の機能を付与させるようにすることが好ましい。このようにすれば、セパレートヘッド６が被転写面７に対して上下に可動可能となるため、転写時に、それ自体の重みで垂れて被転写面を押圧することができる。
【００３６】
セパレートヘッド６の先端部６ａは、被転写面方向に傾斜するテーパー部が形成され、ヘラ状を呈していることが好ましく、こうすることで、図１−２（ｄ）に示すように、転写終了時、転写ヘッド５を持ち上げた際に、セパレートヘッド６の先端部６ａが、転写ヘッドにより近い位置で被転写面７と当接することができるため、確実に被転写面７を押しつづけることができる。テーパー部の角度は特に限定されるものではなく、転写ヘッド５を構成する回転体の径に合わせて鋭角に形成することが望ましく、回転体の径が小さいほどテーパー角度を鋭角に形成することにより、転写ヘッド５とセパレートヘッド６の先端部６ａを至近距離で被転写面７に当接させることが可能となる。
【００３７】
ケース４の前端開口４ａにセパレートヘッド６をケース４から突設させて設ける方法としては、ケース４とセパレートヘッド６を一体成形する方法と、成形したケース４に成形したセパレートヘッド６を取り付ける方法があり、いずれの方法を採用してもよい。一体成形する場合は、ケース４とセパレートヘッド６を、同一材料で形成してもよいし、異なる材料を用いて成形してもよい。成形したセパレートヘッド６をケース４に取付ける場合は、公知の手段を採用すればよく、例えば、セパレートヘッド６の一端をケース４の下部に接着剤や熱溶着などの手段を用いて接合する方法、ケース４の下部にスナップフィットなどの手段を用いて嵌合させる方法、ケース４の前端開口４ａに差し込み、リブ、ネジ、ビスなどの手段で係止する方法などが挙げられる。これらの成形または取り付けにより、塗膜転写具１を作製することができる。
【００３８】
本発明の塗膜転写具は、図１−３に示すように、転写ヘッドを保護する保護カバーを備えた塗膜転写具とすることもできる。図１−３（ａ）は保護カバー装着前、同じく（ｂ）は保護カバー装着後を示す図であり、８が保護カバーである。転写時は、図１−４（ａ）に示すように、保護カバー８を回転させて被転写面に接触しないようにケース４などに止めておくと、転写終了時においても、図１−４（ｂ）に示すように、保護カバーが邪魔にならずに、セパレートヘッド６の先端が被転写面７を押圧することが可能となる。また、非転写時においては、カバー８を回転させて転写ヘッド５をカバーすることにより、塗膜へのゴミ等の付着を防止でき、また、不必要に塗膜が付着することを防止できる。
【００３９】
（実施形態２）
図２−１は、本発明の実施形態２におけるセパレートヘッドを備えた塗膜転写具の非転写時の（ａ）斜視図と（ｂ）要部拡大図であり、図２−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００４０】
塗膜転写具１１は、図２−１に示すように、転写テープ１２は、テープ基材１３上に塗膜を塗布した状態で供給リールに巻回されて繰り出され、ケース１４の前端開口１４ａから突出する転写ヘッド１５によって被転写面１８上に塗膜を転写した後、転写ヘッド１５の前端において反転し、この反転した塗膜剥離後のテープ基材１３を、テープ巻き取り機構によって巻き取るようになっている。本実施形態では、転写ヘッド１５は、左右のヘッド部材で軸支された回転体となっている。
【００４１】
また、本実施形態では、ケース１４の前端開口１４ａで、転写ヘッド１５に供給される転写テープより下部の位置に、被転写面１８に当接し、且つ被転写面上を滑走しうる板状のセパレートヘッド１６を、その上面部をケースの前端開口１４ａに取り付けられた付勢部材１７により支持することで上下に可動可能な状態でケースから転写ヘッド１５方向に突出させて設け、該セパレートヘッドの先端部が、転写ヘッドが被転写面から浮上して離れた後も、被転写面を押圧しうるように構成してある。付勢部材としては、線バネ、板バネなどのバネが用いられる。
【００４２】
本実施形態の塗膜転写具１１は、セパレートヘッド１６の一端（上面部）を、ケース１４の前端開口１４ａに取り付けられた付勢部材１７により支持することで、セパレートヘッド１６を上下に可動可能な状態でケースから突出させて設けた点を除けば、実施形態１と同様である。
【００４３】
転写時には、転写ヘッド１５を被転写面１８に当接させるように位置決めし、塗膜転写具１１を走行させながら、転写ヘッド１５の突端で被転写面１８に塗膜を転写し、反転した塗膜剥離後のテープ基材１３を、巻き取りリールによって巻き取る。このとき、セパレートヘッドの先端部１６ａは、図２−２（ｂ）に示すように、被転写面１８に当接しており、被転写面上を転写ヘッドとともに滑走しうる。転写終了時には、セパレートヘッド先端部１６ａを、バネの付勢力を利用して被転写面１８に当接させることで押圧し、図２−２（ｄ）に示すように、転写ヘッド１５を持ち上げて浮上状態とする。このように、セパレートヘッド先端部１６ａが、被転写面１８を押圧することによって、被転写面１８が持ち上がることが防止される。
【００４４】
セパレートヘッド１６は、転写時には転写ヘッド１５の走行を妨げないように、ケース１４の前端開口１４ａに突出するように設置されていれば、その形状および大きさは特に限定されるものではなく、実施形態１と同様であってよい。図２−２（ｂ）および（ｄ）に示すように、セパレートヘッド１６の先端部１６ａが丸みを帯び、先端部１６ａに被転写面方向に傾斜するテーパー部が形成されているため、転写終了時に被転写面を確実に押圧することができる。
【００４５】
セパレートヘッド１６を設ける場合は、ケース１４に、実施形態１で説明した汎用の樹脂材料または金属材料を用いて所定の形状に成形したセパレートヘッド１６を、ケース１４の下部に、付勢部材により支持して取り付ければよい。これにより、塗膜転写具１１を作製することができる。
【００４６】
（実施形態３）
図３−１は、本発明の実施形態３におけるセパレートヘッドを備えた塗膜転写具の非転写時の（ａ）斜視図と（ｂ）要部拡大図であり、図３−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００４７】
本実施形態の塗膜転写具２１は、図３−１に示すように、転写テープ２２は、テープ基材２３上に塗膜を塗布した状態で供給リールに巻回されて繰り出され、ケース２４の前端開口２４ａから突出する転写ヘッド２５によって被転写面２７上に塗膜を転写した後、転写ヘッド２５の前端において反転し、この反転した塗膜剥離後のテープ基材２３を、テープ巻き取り機構によって巻き取るようになっている。
【００４８】
本実施形態では、ケース２４の前端開口２４ａで、転写ヘッド２５に供給される転写テープ２２より下部の位置に、被転写面２７に当接し、且つ被転写面２７上を滑走しうるセパレートヘッドで、その先端部２６ａが被転写面２７上を回動する回転体であるセパレートヘッド２６をケースから転写ヘッド２５方向に突設させて設け、このセパレートヘッド先端部２６ａが、転写ヘッド２５が被転写面２７から浮上して離れた後も、被転写面１７を押圧しうるように構成してある。
【００４９】
本実施形態の塗膜転写具２１は、セパレートヘッド２６の先端部２６ａが、被転写面上を回動する回転体である点を除けば、実施形態１と同様である。
【００５０】
転写時には、転写ヘッド２５を被転写面２７に当接させるように位置決めし、塗膜転写具２１を走行させながら、転写ヘッド２５の突端で被転写面２７に塗膜を転写し、反転した塗膜剥離後のテープ基材２３を、巻き取りリールによって巻き取る。このとき、セパレートヘッドの先端部２６ａ（回転体）は、被転写面２７に接触し回動する状態にある。転写終了時には、セパレートヘッド先端部２６ａを被転写面２７に当接させて押圧し、転写ヘッド２５を持ち上げて浮上状態とすることにより、セパレートヘッド先端部２６ａが、被転写面２７を押圧することにより、被転写面２７が持ち上がることが防止される。
【００５１】
セパレートヘッド２６は、先端部２６ａ以外の部分が、弾性変形可能な樹脂材料（弾性体）で形成されていてもよい。これにより、セパレートヘッド２６が可撓性を有するようになり、後述する回転体の錘の機能と材料の性質とが相俟って、転写終了時に被転写面２７を均一に押圧しつづけることができる。弾性変形可能な樹脂材料としては、実施形態１と同様の材料が挙げられる。
【００５２】
塗膜転写具２１は、セパレートヘッド２６の先端部２６ａが、被転写面２７上を回動する回転体であるため、図３−２の（ａ）、（ｂ）に示すように、塗膜転写時における走行が円滑であり、かつ、図３−２の（ｃ）、（ｄ）に示すように、転写終了時に転写ヘッド２５を持ち上げた際には、セパレートヘッド先端部２６ａの回転体が、被転写面２７と当接することによって、確実に被転写面２７を押しつづけることができる。また、先端が回転体であるために被転写面を傷付けるおそれもない。回転体としては、ローラー、車輪、ボールなどが挙げられる。
【００５３】
回転体の材質は特に限定されるものではないが、回転体を重量物（例えば、金属製）にすれば、回転体が錘の機能を有するため、セパレートヘッド２６が弾性を有していなくても該錘の機能が弾性に代わる機能を発揮することにより、転写終了時、転写ヘッド２５を持ち上げた際に、セパレートヘッド２６の先端部２６ａを被転写面２７と当接させやすくなるため、確実に被転写面２７を押しつづけることができる。
【００５４】
ケース２４の前端開口２４ａにセパレートヘッド２６をケースから突設させて設ける方法として、実施形態１で説明したのと同様の方法を採用することにより、塗膜転写具２１を作製することができる。あらかじめ、ケース２４との一体成形によりセパレートヘッドの一部を作製し、それに先端部分２６ａである回転体を取り付けることもできる。
【００５５】
（実施形態４）
図４−１は、本発明の実施形態４におけるセパレートヘッドを備えた塗膜転写具の非転写時の（ａ）斜視図と（ｂ）要部拡大図であり、図４−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
本実施形態の塗膜転写具３１は、転写ヘッド３５が、左右のヘッド部材の間に取り付けられた板状の樹脂成形材で形成されている点を除けば、実施形態２の塗膜転写具と同様である。なお、図中、３２は転写テープ、３４はケース、３４ａはケースの前端開口、３７は付勢部材である。
【００５６】
転写時には、転写ヘッド３５を被転写面３８に当接させるように位置決めし、塗膜転写具３１を走行させながら、転写ヘッド３５の突端で被転写面３８に塗膜を転写し、反転した塗膜剥離後のテープ基材３３を、巻き取りリールによって巻き取る。このとき、セパレートヘッド３６の先端部３６ａは、図４−２（ｂ）に示すように、被転写面３８に当接しており、被転写面上を転写ヘッドとともに滑走しうる。転写終了時には、セパレートヘッド先端部３６ａを、バネの付勢力を利用して被転写面３８に当接させることで押圧し、図４−２（ｄ）に示すように、転写ヘッド３５を持ち上げて浮上状態とする。このように、セパレートヘッド先端部３６ａが、被転写面３８を押圧することによって、被転写面３８が持ち上がることが防止される。
【００５７】
（実施形態５）
図５−１は、本発明の実施形態５におけるセパレートヘッドを備えた塗膜転写具の非転写時の（ａ）斜視図と（ｂ）要部拡大図であり、図５−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００５８】
本実施形態の塗膜転写具４１は、図５−１に示すように、転写テープ４２は、テープ基材４３上に塗膜を塗布した状態で供給リールに巻回されて繰り出され、ケース４４の前端開口４４ａから突出する転写ヘッド４５によって被転写面４８上に塗膜を転写した後、転写ヘッド４５の前端において反転し、この反転した塗膜剥離後のテープ基材４３を、テープ巻き取り機構によって巻き取るようになっている。
【００５９】
本実施形態では、ケースの前端開口４４ａで、転写ヘッド４５に供給される転写テープ４２より下部の位置に、被転写面４８に当接し、且つ被転写面上を滑走しうるセパレートヘッド４６で、その先端部が回転体４６ａであるものを、その上面部をケース４４の前端開口４４ａに取り付けられた付勢部材４７により支持することで上下に可動可能な状態でケース４４から転写ヘッド４５方向に突出させて設け、セパレートヘッド４６の先端部４６ａが、転写ヘッド４５が被転写面４８から浮上して離れた後も、被転写面４８を押圧しうるようにした構成となっている。
本実施形態の塗膜転写具４１は、セパレートヘッド４６の先端部４６ａが、被転写面上を回動する回転体である点を除けば、実施形態２と同様である。
【００６０】
転写時には、転写ヘッド４５を被転写面４８に当接させるように位置決めし、塗膜転写具４１を走行させながら、転写ヘッド４５の突端で被転写面４８に塗膜を転写し、反転した塗膜剥離後のテープ基材４３を、巻き取りリールによって巻き取る。このとき、セパレートヘッド４６の先端部４６ａの回転体は、被転写面４８に当接し、被転写面上を回動する。転写終了時には、セパレートヘッド先端部４６ａの回転体を被転写面４８に当接させて押圧し、転写ヘッド４５を持ち上げて浮上状態とする。これにより、セパレートヘッド先端部４６ａの回転体が、被転写面４８を押圧することによって、被転写面４８が持ち上がることが防止される。
【００６１】
塗膜転写具４１は、セパレートヘッド４６の先端部４６ａが、被転写面４８上を回動する回転体であるため、図５−２の（ａ）、（ｂ）に示すように、塗膜転写時における走行が円滑であり、かつ、図５−２の（ｃ）、（ｄ）に示すように、転写終了時に転写ヘッド４５を持ち上げた際には、セパレートヘッド先端部４６ａの回転体が、被転写面４８と当接することによって、確実に被転写面４８を押しつづけることができる。また、先端が回転体であるために被転写面を傷付けるおそれもない。
回転体の材質は特に限定されるものではないが、回転体を重量物（例えば、金属製）にすれば、回転体が錘の機能を有するため、セパレートヘッド４６が弾性を有していなくても該錘の機能が弾性に代わる機能を発揮することにより、転写終了時に、転写ヘッドを持ち上げた際に、セパレートヘッド４６の先端部４６ａを被転写面４８と当接させやすくなり、確実に被転写面４８を押しつづけることができる。
【００６２】
セパレートヘッド４６は、先端部４６ａ以外の部分が、弾性変形可能な樹脂材料（弾性体）で形成されていてもよい。これにより、セパレートヘッド４６が可撓性を有するようになり、回転体の錘の機能と材料の性質とが相俟って、転写終了時に被転写面４８を均一に押圧しつづけることができる。弾性変形可能な樹脂材料としては、実施形態１と同様の材料が挙げられる。
【００６３】
ケース４４の前端開口４４ａにセパレートヘッド４６を、ケース４４から突設させて設ける場合、セパレートヘッド４６は、上下方向に可動できるようにケース４４の前端開口に転写ヘッド４５の方向に突設して設けられていればよく、その取付け方は実施形態３と同様である。これにより、塗膜転写具４１を作製することができる。
【００６４】
（実施形態６）
図６−１は、本発明の実施形態６におけるセパレートヘッドを備えた塗膜転写具の非転写時の（ａ）斜視図と（ｂ）要部拡大図であり、図６−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００６５】
本実施形態の塗膜転写具５１は、図６−１に示すように、転写テープ５２は、テープ基材５３上に塗膜を塗布した状態で供給リールに巻回されて繰り出され、ケース５４の前端開口５４ａから突出する転写ヘッド５５によって被転写面上に塗膜を転写した後、転写ヘッド５５の前端において反転し、この反転した塗膜剥離後のテープ基材５３を、テープ巻き取り機構によって巻き取るようになっている。
【００６６】
本実施形態は、ケース５４の前端開口５４ａで、転写ヘッド５５に供給される転写テープ５２より下部の位置に、被転写面５７に当接し、且つ被転写面５７上を滑走しうるセパレートヘッド５６を、ケース５４から転写ヘッド５５方向に突出させて設けてある。このセパレートヘッド５６は、転写ヘッド５５がその中に入り込んで被転写面５７と当接できる大きさの開口５６ａを有し、且つ該開口５６ａを挟んで離間した左右外縁の底面に、突起物５６ｂが設けられている。該セパレートヘッドの突起物５６ｂが、転写ヘッド５５が被転写面５７から浮上して離れた後も、被転写面５７を押圧しうるように構成してある。
【００６７】
セパレートヘッド５６を、ケース前端開口５４ａに配置するのは、転写ヘッド５５とセパレートヘッド５６が離れ過ぎていると、転写終了時に、転写ヘッド５５を浮上状態とし、セパレートヘッドの開口の左右外縁の底面に設けた突起物５６ｂを被転写面５７に当接させたときに、充分な押圧を被転写面に付与することができなくなり、塗膜が糸を引いたような状態になりやすいからである。本構成によれば、セパレートヘッド５６に開口５６ａを設けているため、転写時には転写ヘッド５５が開口５６ａの中に入り込むことが可能となり、転写ヘッド５５の走行が妨げられることはない。
また、開口５６ａを挟んで離間した左右の外縁の底面には突起物５６ｂを設けており、これらの突起物は、少なくとも転写ヘッド５５の幅よりも離間しているため、転写テープから繰り出された塗膜は、突起物と突起物の間に転写される。そして、突起物５６ｂは、転写ヘッド５５近傍で被転写面５７上を滑走しうるため、転写終了時に被転写面５７を押圧することが可能になる。図６−１ではセパレートヘッド５６の前端に突起物５６ｂを設けた例を示しているが、突起物は、それを設けることによって転写終了時に被転写面を押圧することが可能であれば設置箇所は限定されるものではなく、例えば、突起物５６ｂをセパレートヘッド５６の後端に設けることもできる。
【００６８】
転写時には、図６−２（ａ）及び（ｂ）に示すように、転写ヘッド５５がセパレートヘッドの開口５６ａの中に入り込んで、転写ヘッド５５の前端が、被転写面５７に当接するように位置決めし、塗膜転写具５１を走行させながら、転写ヘッド５５の前端において塗膜を転写し、反転した塗膜剥離後のテープ基材５３を、巻き取りリールによって巻き取る。このとき、セパレートヘッドの開口の左右外縁の底面の突起物５６ｂは、被転写面５７に接触する状態にある。転写終了時には、図６−２（ｃ）及び（ｄ）に示すように、セパレートヘッド５６の突起物５６ｂを被転写面５７に当接させて転写ヘッド５５を持ち上げる。
【００６９】
セパレートヘッド５６は、転写時には転写ヘッド５５の走行を妨げず、且つ転写終了時には被転写面５７を均一に押圧できるように、転写ヘッドを収容できる大きさの開口５６ａを有している。該開口５６ａの大きさは、転写ヘッド５５が入り込める幅を有していれば特に限定されるものではなく、開口幅が転写ヘッド５５の幅よりも１〜５ｍｍ程度大きく設定すればよい。また、開口５６ａの形状も矩形、円形、楕円形など、任意の形状であってよい。なお、図６−１では、矩形のセパレートヘッドに矩形の開口を設けることで、転写ヘッドが開口５６ａの中に入り込む形態例を示しているが、この変形、例えば開口を構成する外縁の一部が欠落している形態などであってもよい。
【００７０】
セパレートヘッド５６の幅は、およそ塗膜転写具のケース５４の幅と略同じに構成すると、転写時の走行が円滑となる。セパレートヘッド５６の長さは、ケースの大きさや、セパレートヘッドのケースへの取り付け位置に応じて適宜設定するのがよい。
【００７１】
セパレートヘッド開口５６ａの左右外縁の底面（すなわち、被転写面との接触面）に設ける突起物５６ｂは、セパレートヘッド５６と一体成形することにより設けることも可能であり、あるいは、別途成形してセパレートヘッド５６に取り付けることもできる。
【００７２】
セパレートヘッド５６は、転写終了時において、セパレートヘッド開口の左右外縁の底面の突起物５６ｂが被転写面を均一に押圧しつづけられるように、その全体が弾性変形可能な樹脂材料（弾性体）で成形されていることが好ましい。弾性変形可能な材料は、汎用の材料であってよく、例えば、ポリプロピレン樹脂、ポリエチレン樹脂、ポリオキシメチレン樹脂、ポリカーボネート樹脂、ポリメチルメタアクリレート樹脂、ＡＢＳ樹脂、ポリアミド樹脂、ポリエステル樹脂、ポリ塩化ビニル樹脂、ポリスチレン樹脂、エラストマーなどの樹脂材料、および弾性金属材料が挙げられる。
セパレートヘッド５６が、弾性体で形成されていない場合でも、セパレートヘッド自体の重みを利用して被転写面５７を押圧しつづけるようにすることもできる。この場合は、セパレートヘッド５６を重量物で形成し、回転可能に軸支させることにより、転写時において錘の機能を付与させるようにすることが好ましい。このようにすれば、セパレートヘッド５６が被転写面５７に対して上下に可動可能となるため、転写時に、それ自体の重みで垂れて被転写面を押圧することができる。
【００７３】
ケース５４の前端開口５４ａにセパレートヘッド５６をケース５４から突設させて設ける方法としては、ケース５４とセパレートヘッド５６を一体成形する方法と、成形したケース５４に成形したセパレートヘッド５６を取り付ける方法があり、いずれの方法を採用してもよい。一体成形する場合は、ケース５４とセパレートヘッド５６を、同一材料で形成してもよいし、異なる材料を用いて成形してもよい。取付ける場合は、公知の手段を採用すればよく、例えば、セパレートヘッド５６の一端を、ケース５４の下部に接着剤や熱溶着などで接合する方法、ケース５４の下部にスナップフィットなどで嵌合させる方法、ケース５４の前端開口５４ａに差し込み、リブ、ネジ、ビスなどで係止する方法などが挙げられる。
【００７４】
セパレートヘッド５６自体を、異なる複数の材料で形成することも可能である。この場合、材料の組み合わせ方は任意である。例えば、開口５６ａを有する先端部分を被転写面との密着性に優れるエラストマーで形成し、セパレートヘッド５６を支える支部５６ｃ及び、セパレートヘッドをケースに取り付ける取り付け部５６ｄを、曲げ強度に優れるポリアミド樹脂、ポリエステル樹脂あるいはポリカーボネート樹脂などで形成することもできる。
【００７５】
（実施形態７）
図７−１は、本発明の実施形態７におけるセパレートヘッドを備えた塗膜転写具の非転写時の（ａ）斜視図と（ｂ）要部拡大図であり、図７−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００７６】
本実施形態の塗膜転写具６１は、図７−１に示すように、転写テープ６２は、テープ基材６３上に塗膜を塗布した状態で供給リールに巻回されて繰り出され、ケース６４の前端開口６４ａから突出する転写ヘッド６５によって被転写面６７上に塗膜を転写した後、転写ヘッド６５の前端において反転し、この反転した塗膜剥離後のテープ基材６３を、テープ巻き取り機構によって巻き取るようになっている。
【００７７】
本実施形態では、セパレートヘッド６６の開口６６ａの外縁に保護カバー６６ｃを設けている。保護カバー６６ｃは、樹脂材料などを用いて、開口６６ａの周縁のうち３方に設けるようにすれば、塗膜転写具６１を使用しない時に、搭載された未使用の転写テープ６２の塗膜を保護するカバーとして機能させることが可能となる。
【００７８】
転写時には、転写ヘッド６５がセパレートヘッドの開口６６ａの中に入り込んで、転写ヘッド６６の突端が、被転写面６７に当接するように位置決めし、塗膜転写具６１を走行させながら、転写ヘッド６５の突端で被転写面６７に塗膜を転写し、反転した塗膜剥離後のテープ基材６３を、巻き取りリールによって巻き取る。このとき、セパレートヘッド６６の底面の突起物６６ｂは、被転写面６７に接触する状態にある。転写終了時には、セパレートヘッド６６の突起物６６ｂを被転写面６７に当接させて押圧し、転写ヘッド６５を持ち上げて浮上状態とすることにより、突起物６６ｂが被転写面６７を押圧するので、被転写面６７が持ち上がることが防止される。
【００７９】
（実施形態８）
図８−１は、本発明の実施形態８におけるセパレートヘッドを備えた塗膜転写具の非転写時の（ａ）斜視図と（ｂ）要部拡大図であり、図８−２の（ａ）及び（ｂ）は、転写時の状態を概略的に示す図で、（ａ）は正面図、（ｂ）は右側面図であり、（ｃ）及び（ｄ）は、転写終了時の状態を概略的に示す図で、（ｃ）は正面図、（ｄ）は右側面図である。
【００８０】
本実施形態の塗膜転写具７１は、図８−１に示すように、転写テープ７２は、テープ基材７３上に塗膜を塗布した状態で供給リールに巻回されて繰り出され、ケース７４の前端開口７４ａから突出する転写ヘッド７５によって被転写面７７上に塗膜を転写した後、転写ヘッド７５の前端において反転し、この反転した塗膜剥離後のテープ基材７３を、テープ巻き取り機構によって巻き取るようになっている。
【００８１】
本実施形態では、セパレートヘッド７６の底面に設ける突起物を、回転体７６ｂで構成することにより、突起物が被転写面７７上を円滑に回動することが可能になるとともに、転写ヘッド７５が被転写面７７から浮上して離れた後も、被転写面７７を押圧しうるように構成してある。
【００８２】
転写時には、図８−２（ａ）及び（ｂ）に示すように、転写ヘッド７５がセパレートヘッド７６の開口７６ａに入り込んで、転写ヘッド７５の前端が、被転写面７７に接触するように位置決めし、塗膜転写具７１を走行させながら、転写ヘッド７５の前端において塗膜を転写し、反転した塗膜剥離後のテープ基材７３を、巻き取りリールによって巻き取る。このとき、セパレートヘッド７６の回転体７６ｂは、被転写面７７に接触し回動する状態にある。転写終了時には、図８−２（ｃ）及び（ｄ）に示すように、セパレートヘッド７６の回転体７６ｂを被転写面７７に当接させて押圧し、転写ヘッド７５を持ち上げて浮上状態とすることにより、セパレートヘッド７６先端部の回転体７６ｂが、被転写面７７を押圧することにより、被転写面７７が持ち上がることが防止される。
【００８３】
回転体７６ｂは、その設置場所は特に限定されるものではないが、セパレートヘッド７６に設けられた開口部７６ａの周縁で、塗膜転写具７１の走行方向と反対側の周縁部分に設置されると、塗膜転写具７１の走行が円滑となる。また、図８−１では、２個の回転体７６ｂを有する例を示しているが、回転体の数は任意であり、大きさも走行に影響を及ぼさない程度の大きさであればよい。また、回転体７６ｂの材質は特に限定されるものではないが、例えば回転体を金属製にすれば、この回転体が錘の機能を有するため、セパレートヘッドに弾性が無くても該錘の機能が弾性に代わる機能を発揮することにより、転写終了時に転写ヘッドを持ち上げた際に、セパレートヘッドの開口周縁部の回転体７６ｂを被転写面７７と当接させやすくなり、確実に被転写面７７を押しつづけることができる。
【００８４】
セパレートヘッド７６は、転写終了時において、セパレートヘッドの開口周縁部の回転体７６ｂが、被転写面を均一に押圧しつづけられるように、回転体以外の部分が、弾性変形可能な材料（弾性体）で成形されていることが好ましい。弾性変形可能な材料としては、実施形態６と同様の材料が挙げられる。
【００８５】
セパレートヘッド７６を設置する場合は、前記の材料を成形した後、所望の大きさの開口７６ａを設け、そして、開口７６ａを形成する部材の周縁部分に孔を開け、その孔に回転体７６ｂを取付けることで、作製することができる。回転体７６ｂとしては、被転写面７７上を回動しうる公知の材料を用いることができ、例えば、ローラー、車輪、ボールなどが挙げられる。
【００８６】
作製したセパレートヘッド７６を、実施形態６と同様の方法で、ケース７４の前端開口７４ａに取り付けることで、塗膜転写具７１を作製することができる。
【００８７】
実施形態６〜８の塗膜転写具においては、セパレートヘッドに、転写ヘッドが入り込むことが可能な開口を設け、その開口内で転写ヘッドを滑走させることで塗膜を転写する。転写終了時は、転写ヘッドとセパレートヘッドに設けた突起物とが至近距離にある方が、糊切り性が向上する。そのため、該突起物は、セパレートヘッドの開口を形成する外縁部で、転写ヘッドが被転写面と当接した際に、転写ヘッドの当接線を左右の開口外縁まで延長した直線よりも前方（すなわち、セパレートヘッドの先端側）に設けられていることがより好ましい。
【００８８】
次に、本発明の塗膜転写具用カートリッジについて説明する。
本発明の塗膜転写具用カートリッジは、少なくとも供給リールと巻き取りリールと転写ヘッドとを備え、前記供給リールの回転を巻き取りリールに伝達するためのリール駆動機構を内部に収容するケース内に装着される塗膜転写具用カートリッジであり、該カートリッジの前端で、転写ヘッドに供給される転写テープより下部の位置に、被転写面に当接し、且つ被転写面上を滑走しうるセパレートヘッドが、転写ヘッド方向に突出させて設けられているものである。そのため、本発明の塗膜転写具用カートリッジを前記ケース内に装着した場合は、本発明の塗膜転写具と同様の効果を奏することとなる。
前記リール駆動機構としては、供給リール用歯車と巻き取りリール用歯車が直接あるいは間接に噛合して供給リールの回転を巻き取りリールに伝達するようにした歯車式駆動機構、あるいは、供給リールと巻き取りリール間にベルトを掛け渡し、両者が連動して回転するようにしたベルト式駆動機構を有する塗膜転写具用カートリッジなどが挙げられる。
【００８９】
塗膜転写具用カートリッジの場合も、セパレートヘッドの配置、材料、形状、大きさ、取り付け方は、上記の塗膜転写具の場合と同様である。参考までに、図面を用いて、カートリッジにセパレートヘッドを設ける一例を説明する。
【００９０】
図９は、一般的な塗膜転写具の一例で、その概要を示す分解斜視図である。カートリッジ８１は、少なくとも供給リール８２、巻き取りリール８３、転写ヘッド８４を備えており、該転写ヘッド８４は、左右のヘッド部材８５に取り付けられた水平軸の軸回りに回動可能に軸支され、そして、左右のヘッド部材８５は、２個のリールを取り付けた支持板に、一体成形あるいは接合手段により連結されている。一方、ケース本体８６Ａには、前記供給リールの回転を巻き取りリールに伝達するためのリール駆動機構として、供給リール用歯車８７と巻き取りリール用歯車８８ならびに中間歯車８９が内部に収容されており、該ケース本体８６Ａにカートリッジ８１を装着した後、ケース蓋８６Ｂを被せることにより、塗膜転写具を構成するようになっている。
図１０は、塗膜転写具の他の一例で、その概要を示す分解斜視図である。カートリッジ９１は、少なくとも供給リール９２、巻き取りリール９３（該巻き取りリールは歯車９８を備えている）、転写ヘッド９４を備えており、該転写ヘッド９４は、左右のヘッド部材９５に取り付けられた水平軸の軸回りに回動可能に軸支され、そして、左右のヘッド部材９５は、２個のリールを取り付けた支持板に、一体成形あるいは接合手段により連結されている。一方、ケース９６には、前記供給リールの回転を巻き取りリールに伝達するためのリール駆動機構として、供給リール用歯車９７が内部に収容されており、該ケース本体９６とカートリッジ９１とを組み合わせることにより、２個の歯車９７と９８を互いに噛合させて塗膜転写具を構成している。
【００９１】
本発明の塗膜転写具用カートリッジにおいて、セパレートヘッドは、例えば、図９および図１０において、ヘッド部材８５または９５の下部、ヘッド部材後方の支持板、あるいは、ケース８６Ａまたは９６の下部に、公知の接合手段、嵌合手段、係止手段などを用いて取り付けることができる。これにより、セパレートヘッドを備えた塗膜転写具用カートリッジが作製される。
【００９２】
以上、本発明に係る塗膜転写具および該塗膜転写具用カートリッジの実施形態について説明したが、本発明はこれら実施形態に限定されるものではなく、本発明の範囲を逸脱することなく種々の変形が可能である。
【産業上の利用可能性】
【００９３】
本発明の塗膜転写具および塗膜転写具用カートリッジは、粘着テープ、修正テープ、蛍光テープなどのテープ類を装着して使用することにより、使い勝手のよい塗膜転写具となり得る。
【符号の説明】
【００９４】
１、１１、２１、３１、４１  塗膜転写具
２、１２、２２、３２、４２  転写テープ
３、１３、２３、３３、４３  テープ基材
４、１４、２４、３４、４４  ケース
４ａ、１４ａ、２４ａ、３４ａ、４４ａ  ケースの前端開口
５、１５、２５、３５、４５  転写ヘッド
６、１６、２６、３６、４６  セパレートヘッド
６ａ、１６ａ、２６ａ、３６ａ、４６ａ  セパレートヘッドの先端部
７、１８、２７、３８、４８  被転写面
８  保護カバー
１７、３７、４７  付勢部材
５１、６１、７１  塗膜転写具
５２、６２、７２  転写テープ
５３、６３、７３  テープ基材
５４、６４、７４  ケース
５４ａ、６４ａ、７４ａ  ケースの前端開口
５５、６５、７５  転写ヘッド
５６、６６、７６  セパレートヘッド
５６ａ、６６ａ、７６ａ  セパレートヘッドの開口部
５６ｂ、６６ｂ  突起物
５６ｃ  支部
５６ｄ  取り付け部
５７、６７、７７  被転写面
６６ｃ  保護カバー
７６ｂ  回転体
８１、９１  塗膜転写具用カートリッジ
８２、９２  供給リール
８３、９３  巻き取りリール
８４、９４  転写ヘッド
８５、９５  ヘッド部材
８６Ａ  ケース本体
８６Ｂ  ケース蓋
９６  ケース
８７、９７  供給リール用歯車
８８、９８  巻き取りリール用歯車
８９  中間歯車
１０１  塗膜転写具
１０２  転写テープ
１０３  供給リール
１０４  塗膜
１０５  テープ基材
１０６  ヘッド部材
１０６ａ  転写ヘッド
１０７  巻き取りリール
１０８  ケース
１０９  被転写面
【図１−１】
2011025468.tif 000003
【図１−２】
2011025468.tif 000004
【図１−３】
2011025468.tif 000005
【図１−４】
2011025468.tif 000006
【図２−１】
2011025468.tif 000007
【図２−２】
2011025468.tif 000008
【図３−１】
2011025468.tif 000009
【図３−２】
2011025468.tif 000010
【図４−１】
2011025468.tif 000011
【図４−２】
2011025468.tif 000012
【図５−１】
2011025468.tif 000013
【図５−２】
2011025468.tif 000014
【図６−１】
2011025468.tif 000015
【図６−２】
2011025468.tif 000016
【図７−１】
2011025468.tif 000017
【図７−２】
2011025468.tif 000018
【図８−１】
2011025468.tif 000019
【図８−２】
2011025468.tif 000020
【図９】
2011025468.tif 000021
【図１０】
2011025468.tif 000022
【図１１】
2011025468.tif 000023
【図１２】
2011025468.tif 000024